(57)【要約】 【課題】  詰め替えパウチのノズルから液漏れが発生せず、パウチのノズル部をボトルの注入口に深く挿入された場合にだけノズルの注出口が開いて吐出可能となり、また、ボトルの注入口からパウチを外すと再び完全にシールされて液漏れが生ずることなく、かつ構造が簡単な詰め替えパウチを提供する【解決手段】  ボトル１０に供給する内容液を充填するパウチのノズル部６であって、内容液の流通・遮断を開閉して制御する開閉構造とを有しており、開閉構造は内容液の供給時に開通して液体通路１６と連通する開閉通路を構成する２枚の可撓性を持つ壁が互いに対向してかつ開閉通路に沿って配置して備えており、開閉通路は対向する２枚の壁が密接することにより閉じ、２枚の壁の間に間隙が生ずることによって開くものであり、ノズル部６の外縁に間隙が生じる方向に押圧力を受けるための押圧部位を設けた【選択図】  図１
2006206063.tif 000002
【特許請求の範囲】
【請求項１】
ボトルに供給する内容液を充填するパウチのノズル部であって、基端部が前記パウチの内部空間に連通する液体通路と前記液体通路を通る内容液の流通・遮断を開閉して制御する開閉構造とを有しており、前記開閉構造は内容液の前記供給時に開通して前記液体通路と連通する開閉通路を構成する２枚の可撓性を持つ壁が互いに対向してかつ前記開閉通路に沿って配置して備えており、前記開閉通路は前記対向する前記２枚の壁が密接することにより閉じ、前記２枚の壁の間に間隙が生ずることによって開くものであり、前記ノズル部の外縁に前記間隙が生じる方向に前記押圧力を受けるための押圧部位を設けたことを特徴とする詰め替えパウチのノズル部の構造。
【請求項２】
前記押圧部位は前記ボトルと接触することによって前記押圧力を受けるように構成してなることを特徴とする請求項１記載の詰め替えパウチのノズル部の構造。
【発明の詳細な説明】
【技術分野】
【０００１】
この発明は注出機構を持つボトルに液体内容物を充填し、その注出機構を利用して液体内容物を注出消費し、消費した液体内容物を詰め替えパウチからボトルに補充する場合の詰め替えパウチのノズル部の構造に関するものである。
【背景技術】
【０００２】
ポンプ式注出機構を備えたボトルなどにおいては、ボトル内の内容液の消費に備えて内容液を充填した詰め替え用のパウチを準備しておく使用形態のシステムがある。詰め替え用のパウチは胴部の端部に注出ノズルを備えていて、注出ノズルの先端の注出口は未開封時はタブで閉じられている。ボトルへの詰め替え時には、ボトルのポンプ式注出機構を外して注入口を開け、一方、詰め替え用のパウチのノズルのタブを切って注出口を開け、この状態から、パウチのノズルをボトルの注入口に差し込んで内容液を注入する。
【０００３】
【特許文献１】特開平１１−２２７８０１号
【特許文献２】特開２０００−２５７９９号
【特許文献３】特開２０００−１１８５４３号
【特許文献４】特開２００３−１３７３１７号
【発明の開示】
【発明が解決しようとする課題】
【０００４】
しかるに詰め替えパウチは始めにタブを開封した時点から内容液が吐出可能な状態になってしまうため、ボトルの注入口へのアプローチ段階でこぼすことがある。特にボトルを傾けないで詰め替えを行う消費者にとっては、ボトルの注入口とパウチの注出口の中心軸に大きな角度差が生じるため、注ぎ始めにこぼしてしまう原因となり、詰め替え作業に対する不安が生じている。また、詰め替えパウチから内容液を半分ほど詰め替えて、その残液をパウチに一時的に保存しておくときのパウチのリシールができなかった。
【０００５】
特許文献１は詰め替えパウチの隅角部に設けたノズルの先端を切除してノズルを開口させるものであるが、このノズルには開閉機構が設けられていないので、開口したノズルから内容液がこぼれ易い。またノズルのリシール機能はない。
【０００６】
特許文献２及び３は詰め替えノズルのノズルのつけ根部分に位置決め用の溝を設けて、ボトルとの位置、姿勢を安定させて安全に内容液を詰め替えるものであるが、ノズルの開閉機構は採用されていない。またノズルのリシール機能はない。
【０００７】
特許文献４は詰め替えパウチの隅角部にノズルを設け、ノズルの先端を切除した時に、パウチ内容液の重量の作用によってパウチが変形することを利用して、ノズルの開口を確実にする技術であるが、ノズルを任意に開閉させる構造にはなっていない。またノズルのリシール機能はない。
【０００８】
この発明は上記の如き事情に鑑みてなされたものであって、詰め替え時にパウチのノズルがボトルの注入口に挿入される以前には液漏れが発生せず、改めてノズル部を手指で寄せたり、或いはボトルの注入口に深く挿入された場合にはノズルの注出口が開いて吐出可能となり、また、ノズルから手指を離したり、ボトルの注入口からパウチを外すと再び完全にシールされて液漏れが生ずることなく、かつ構造が簡単な詰め替えパウチを提供することを目的とするものである。
【課題を解決するための手段】
【０００９】
この目的に対応して、この発明の詰め替えパウチのノズル部の構造はボトルに供給する内容液を充填するパウチのノズル部であって、基端部が前記パウチの内部空間に連通する液体通路と前記液体通路を通る内容液の流通・遮断を開閉して制御する開閉構造とを有しており、前記開閉構造は内容液の前記供給時に開通して前記液体通路と連通する開閉通路を構成する２枚の可撓性を持つ壁が互いに対向してかつ前記開閉通路に沿って配置して備えており前記開閉通路は前記対向する前記２枚の壁が密接することにより閉じ、前記２枚の壁の間に間隙が生ずることによって開くものであり、前記ノズル部の外縁に前記間隙が生じる方向に前記押圧力を受けるための押圧部位を設けたことを特徴としている。
【発明の効果】
【００１０】
パウチ注出口の開閉通路は通路の左右の両側に並設された２枚の壁が密接することによる自己閉塞現象により閉じ、また、通路の上下の両側から２枚の壁を押して寄せることによって自己閉塞現象を解除して開き、内容液の流通・遮断を行うので、詰め替え作業中に内容液をこぼす心配がない。
【００１１】
特にパウチの長いノズルをボトルに挿入すると押圧としてボトルとノズルの接触圧力を利用することができるので、ノズル付根部がボトルの内周部で押されることにより、パウチの自己閉塞が解かれて開口し、ボトルの注入口の中に確実に内容液を安全に注入することができる。パウチを外すと自己閉塞によりリシールされるので、次回の詰め替えまでそのまま置いておける。またその間、倒してもこぼれることはない。
【００１２】
パウチのノズルはボトルに挿入されるまで内容液が出ないので、詰め替え作業中に内容液をこぼす心配がない。ノズルが長いので、詰め替え作業中、抜けてしまうことがない。開封後のパウチを倒してもこぼれない。またパウチはオールフィルムなので、ローコスト生産が可能である。
【発明を実施するための最良の形態】
【００１３】
以下、この発明の詳細を一実施形態を示す図面について説明する。
【００１４】
図１及び図２において、１は詰め替えパウチである。詰め替えパウチ１は左右の胴片２及び３と底片４とを周辺部のシール部９でヒートシールして袋状に構成され、内部に詰め替え用の内容液を充填するものである。
【００１５】
詰め替えパウチ１は本体部５とノズル部６とを連続させて備えていて、本体部５は左右の胴片２及び３と底片４とで構成されており、ノズル部６は左右の胴片２及び３で構成されている。
【００１６】
本体部５は詰め替え用の内容液を収納する部分であり、ノズル部６は本体部５内の詰め替え用の内容液を外部に注出する部分である。本体部５のノズル部６の付根の近傍に流れガイド７が形成されている。流れガイド７は軟質可撓性の材料からなる左右の胴片２、３を熱処理などにより硬質に改質して、樋状に形成し、常時、内容液の流通路が本体部５とノズル部６との間に保持されている状態を実現させているものである。
【００１７】
ノズル部６は本体部５から長く突出していて、ノズル部６をボトル１０の注入口８（図５参照）に挿入する場合にボトル１０及び注入口８と本体部５が当たって干渉することなしに、ノズル部６を深く注入口８に挿入することができ、ノズル部６の注出口１１が注入口８の奥深い位置に達することができる長さである。実験によればノズル部６はボトル１０の注入口８に挿入できる長さは３ｍｍ以上であるとボトル１０と詰め替えパウチ１を接続させた状態における両者の位置及び姿勢が安定し、詰め替え作業が安定して行える。
【００１８】
ノズル部６は内容液の流れの方向Ｘで本体部５寄りの基端部に液体通路形成部１２を有し、注出口１１寄りの先端部に開閉部１３を備えている。液体通路形成部１２と開閉部１３は連設されてノズル部６を形成し、ノズル部６の先端にタブ２３が設けられている。液体通路形成部１２は液体通路１６を構成する部分であって、図４に示すように、液体通路形成部１２は重なった左胴片２と右胴片３で構成されていて流れ方向Ｘに垂直な上下方向Ｙの上端部１４及び下端部１５においてはシール部９でヒートシール等によってあたかも１枚の胴片のようにシールされており、一方、上下方向Ｙの中間部は２枚の胴片２、３が成形加工されて左右Ｚ方向に離れて左右の胴片２、３の間に液体通路１６を内容液の流れ方向Ｘに形成している。
【００１９】
開閉部１３は開閉可能な弁通路１７を構成する部分であって、この弁通路１７は液体通路１６と連通している。図３に示すように、弁通路１７は重なって密接した左胴片２と右胴片３で構成されていて、流れ方向Ｘに垂直な上下方向Ｙの上端部１８及び下端部２１においてはシール部９のヒートシール等によってあたかも一枚の胴片のようにシールされており、上下縁は上下方向に荷重を作用させることが可能な押圧部２５に構成されている。上下方向Ｙの中間部２２は２枚の胴片２、３が単に密接しているがシールはなされていない。したがって中間部２２において左右の胴片２、３を上下方向Ｙに押圧して寄せれば、左右の胴片２、３は撓んで互いに反対方向（上下方向に垂直な左右方向Ｚ）に変位し、液体を流通可能な通路、すなわち開いた弁通路１７が形成される。開閉部１３の先端はタブ２３で閉じられており、開閉部１３には切断箇所が弁通路１７にかかるように切り込みノッチ２４が形成されている。
【００２０】
このように構成された詰め替えパウチ１から内容液をボトル１０に詰め替えようとする場合は、詰め替えパウチ１のタブ２３を切り込みノッチ２４で弁通路１７を横断して切断して除去することによって切断端面に開閉部１３の注出口１１が形成される。次に図５に示すように詰め替えパウチ１のノズル部６の注出口１１がある先端２６からボトル１０の注入口８に差し込む。ノズル部６は先細状になっているので、ノズル部６をボトル１０の円形断面をもつ注入口８に充分差し込んで行くと、図６（ａ）に示すようにボトル１０の先端部２７の内面にノズル部６の押圧部２５が接触し、さらに差し込んで行くと、図６（ｂ）に示すように押圧部２５が上下方向でボトル１０の先端部２７から接触による押圧力Ｆを受ける。開閉部１３が上下方向Ｙから押圧力を受けると、開閉部１３が流れ中心寄りに寄せられて弁通路１７で密接している左右の胴片２、３が左右方向Ｚに開き、弁通路１７が開通し、液体通路１６と連通する。この開通しかつ連通した液体通路１６と弁通路１７を通して詰め替えパウチ１内の液体内容物がボトル１０に注入され、詰め替えが行われる。
【００２１】
必要量の詰め替えが終了したらノズル６を注入口８から引き抜く。ノズル６が注入口８から離れると、開閉部１３を寄せていた押圧力Ｆが消滅し、左右の胴片２、３が元位置に復帰しつつ、弁通路１７内の残留液を流出させるとともに左右の胴片２、３が密接し、弁通路１７が再び閉じてリシールされる。
【００２２】
この発明の詰め替えパウチ１ではノズルを長くすることによって、ボトルの注入口に充分深く差し込むことができ、詰め替えパウチ１が詰め替え操作中に揺れても、ボトルの注入口から内容液がこぼれる恐れがない。また注入の開始がノズルをボトルに充分に差し込んだ後の接触圧力による自己閉塞作用の解除によって始まるので、ボトル外への内容液のこぼれがない。一方、ノズルをボトルから引き抜けば、押圧力の消滅により弁通路１７の自己閉塞機能の回復により弁通路１７は閉じる。こうして弁通路１７の開閉が望ましい時期に自動的に行われるので詰め替え操作がきわめて容易である。しかも弁通路１７を実現させるために左右の胴片をシールしないで密接させるだけでよいので、特別の部材を必要とせず、オールフィルムで構成することができるので、ローコスト生産が可能である。  
【図面の簡単な説明】
【００２３】
【図１】詰め替えパウチの正面説明図。
【図２】詰め替えパウチの側面説明図。
【図３】図１におけるＡ−Ａ部拡大断面図。
【図４】図１におけるＢ−Ｂ部拡大断面図。
【図５】詰め替え操作におけるボトルと詰め替えパウチとの関係を示す拡大断面説明図。
【図６】詰め替え操作における液体通路と弁通路の関係を示す拡大断面説明図。
【符号の説明】
【００２４】
１    詰め替えパウチ
２    左胴片
３    右胴片
４    底片
５    本体部
６    ノズル部
７    流れガイド
８    注入口
９    シール部
１０  ボトル
１１  注出口
１２  液体通路形成部
１３  開閉部
１４  上端部
１５  下端部
１６  液体通路
１７  弁通路
１８  上端部
２１  下端部
２２  中間部
２３  タブ
２４  切り込みノッチ
２５  押圧部
２６  先端
２７  先端部
【図１】
2006206063.tif 000003
【図２】
2006206063.tif 000004
【図３】
2006206063.tif 000005
【図４】
2006206063.tif 000006
【図５】
2006206063.tif 000007
【図６】
2006206063.tif 000008